(57)【特許請求の範囲】
【請求項１】
閃光を発する発光源と、前記発光源から発せられた光の被写体からの反射光量を検出する光量センサとを備えるストロボ撮影装置において、
前記発光源の発光電圧に対する発光色温度特性のデータテーブルを記憶した記憶手段と、
降圧手段において前記閃光用の発光電圧を降下した降圧発光電圧と発光電圧設定手段において前記閃光を発光するために予め設定された発光可能電圧との比較により前記降圧発光電圧が大の場合にはこれに基づく信号を得、この信号と操作者からのストロボ発光指令に基づく発光指令信号との論理積であるＡＮＤ信号を生成し、前記光量センサから検出された反射光量と発光量設定手段において所定の反射光量を得るために予め設定した光量値との比較により前記反射光量が大である場合には大であることを示す比較信号を生成し、この比較信号と前記ＡＮＤ信号とを出力する発光制御手段と、この発光制御手段から供給される前記比較信号と前記ＡＮＤ信号とに基づき前記発光源の発光終了電圧を演算する演算手段とを含んで構成し、この演算手段によって演算された前記発光終了電圧をアドレスとして前記記憶手段の発光色温度特性のデータテーブルから原色赤制御信号および原色青制御信号を出力する制御手段と、
前記原色赤制御信号および前記原色青制御信号に基づいて原色赤および原色青の増幅度を制御することによって白バランス補正をする色信号処理手段と、
を備えることを特徴とするストロボ撮影装置。
【請求項２】
閃光を発する発光源と、被写体までの距離を計測するための発光素子及び受光センサとを備えるストロボ撮影装置において、
被写体までの距離に対する前記発光源の発光終了電圧のデータテーブルを記憶した第１記憶手段と、前記発光源の発光電圧に対する発光色温度特性のデータテーブルを記憶した第２記憶手段と、前記受光センサからの出力に基づいて被写体までの距離を演算する距離演算手段とを含んで構成され、この距離演算手段によって演算された距離をアドレスとして前記第１記憶手段が発光終了電圧を出力し、この発光終了電圧をアドレスとして前記第２記憶手段の発光色温度特性のデータテーブルから原色赤制御信号および原色青制御信号を出力する制御手段と、
前記原色赤制御信号および前記原色青制御信号に基づいて原色赤および原色青の増幅度を制御することによって白バランス補正をする色信号処理手段とを備えることを特徴とするストロボ撮影装置。
【発明の詳細な説明】
【０００１】
【発明の属する技術分野】
本発明は、ストロボ撮影装置に係り、特にストロボ発光部のキセノン管の印加電圧及び発光時間に対する色温度特性に合せて白バランス補正をするストロボ撮影装置に関する。
【０００２】
【従来の技術】
従来のストロボ撮影装置として、例えばストロボ装置を内蔵した電子スチルカメラ、ビデオムービ等がある。
【０００３】
【発明が解決しようとする課題】
しかしながら、従来のストロボ撮影装置には、ストロボ発光部の印加電圧及び発光時間に対する色温度特性に合せた白バランス補正をせずに被写体からＣＣＤに入力された色温度のまま、または一定の補正で録画／再生されるので、ストロボ撮影時の被写体の自然な色の録画／再生ができないという課題がある。
【０００４】
本発明は、上記した従来技術の課題を解決するためになされたものであって、その目的は、ストロボ撮影時に発光源であるキセノン管の印加電圧及び発光時間に対する色温度特性に合せて白バランス補正を行って被写体の自然な色の録画／再生ができるストロボ撮影装置を提供することにある。
【０００５】
【課題を解決するための手段】
上記課題を解決するために本発明に係るストロボ撮影装置は、閃光を発する発光源と、前記発光源から発せられた光の被写体からの反射光量を検出する光量センサとを備えるストロボ撮影装置において、前記発光源の発光電圧に対する発光色温度特性のデータテーブルを記憶した記憶手段と、降圧手段において前記閃光用の発光電圧を降下した降圧発光電圧と発光電圧設定手段において前記閃光を発光するために予め設定された発光可能電圧との比較により前記降圧発光電圧が大の場合にはこれに基づく信号を得、この信号と操作者からのストロボ発光指令に基づく発光指令信号との論理積であるＡＮＤ信号を生成し、前記光量センサから検出された反射光量と発光量設定手段において所定の反射光量を得るために予め設定した光量値との比較により前記反射光量が大である場合には大であることを示す比較信号を生成し、この比較信号と前記ＡＮＤ信号とを出力する発光制御手段と、この発光制御手段から供給される前記比較信号と前記ＡＮＤ信号とに基づき前記発光源の発光終了電圧を演算する演算手段とを含んで構成し、この演算手段によって演算された前記発光終了電圧をアドレスとして前記記憶手段の発光色温度特性のデータテーブルから原色赤制御信号および原色青制御信号を出力する制御手段と、前記原色赤制御信号および前記原色青制御信号に基づいて原色赤および原色青の増幅度を制御することによって白バランス補正をする色信号処理手段と、を備えることを特徴とする。
【０００６】
本発明に係るストロボ撮影装置は、制御手段が発光源の発光電圧に対する発光色温度特性のデータテーブルを記憶した記憶手段および、光量センサからの出力に基づいて発光源の発光終了電圧を演算する演算手段とを含んで構成され、演算手段によって演算された発光終了電圧をアドレスとして記憶手段の発光色温度特性のデータテーブルから原色赤制御信号および原色青制御信号が出力され、原色赤制御信号および原色青制御信号に基づいて原色赤および原色青の増幅度を制御するので、カメラのストロボ撮影時に演算手段での高速演算への負担を軽減し、光量センサからの出力に基づいて発光源の発光電圧を制御することができ、そして発光源の発光電圧に対する発光色温度特性に合せた精度の良い白バランス補正をすることができる。
【０００７】
また、本発明に係るストロボ撮影装置は、閃光を発する発光源と、被写体までの距離を計測するための発光素子及び受光センサとを備えるストロボ撮影装置において、被写体までの距離に対する発光源の発光終了電圧のデータテーブルを記憶した第１記憶手段と、発光源の発光電圧に対する発光色温度特性のデータテーブルを記憶した第２記憶手段と、受光センサからの出力に基づいて被写体までの距離を演算する距離演算手段とを含んで構成され、この距離演算手段によって演算された距離をアドレスとして第１記憶手段が発光終了電圧を出力し、この発光終了電圧をアドレスとして第２記憶手段の発光色温度特性のデータテーブルから原色赤制御信号および原色青制御信号を出力する制御手段と、原色赤制御信号および原色青制御信号に基づいて原色赤および原色青の増幅度を制御することによって白バランス補正をする色信号処理手段とを備えることを特徴とする。
【０００８】
本発明に係るストロボ撮影装置は、制御手段が被写体までの距離に対する発光源の発光終了電圧のデータテーブルを記憶した第１記憶手段と、発光源の発光電圧に対する発光色温度特性のデータテーブルを記憶した第２記憶手段と、受光センサからの出力に基づいて被写体までの距離を演算する距離演算手段とを含んで構成され、距離演算手段によって演算された距離をアドレスとして第１記憶手段が発光終了電圧を出力し、この発光終了電圧をアドレスとして第２記憶手段の発光色温度特性のデータテーブルから原色赤制御信号および原色青制御信号が出力され、原色赤制御信号および原色青制御信号に基づいて原色赤および原色青の増幅度を制御するので、カメラのストロボ撮影時に演算手段での高速演算への負担を軽減し、被写体の距離情報に基づいて発光源の発光終了電圧を決定することができ、そして発光終了電圧に対する発光色温度特性に合せた精度の良い白バランス補正をすることができる。
【００１３】
【発明の実施の形態】
本発明の実施の形態を添付図面に基づいて以下に説明する。
図１は本発明に係るストロボ撮影装置の全体ブロック構成図である。
図１において、ストロボ撮影装置１は、カメラ１０、光量センサ１４、Ａ／Ｄ（Analog To Digital）コンバータ１５、制御手段１６及びストロボ発光手段１７を備える。
【００１４】
カメラ１０は、ＣＣＤ（Charge Coupled Device）１１、輝度信号処理手段１２及び色信号処理手段１３を有する。
ストロボ発光手段１７は、充電手段１８、コンデンサ１９、トリガ手段２０、発光源（キセノン管）２１、スイッチ手段２２、降圧手段２３及びＡ／Ｄコンバータ２４を有する。
【００１５】
カメラ１０には、電子スチルカメラ、ビデオムービ等があり、イメージセンサであるＣＣＤ１１は光情報を電気信号に変換（光電変換）して得られる映像信号Ｓ11を輝度信号処理手段１２及び色信号処理手段１３に出力する。
【００１６】
輝度信号処理手段１２は、映像信号Ｓ11から輝度信号成分を分離して記録／再生信号処理をする。
また、色信号処理手段１３は、映像信号Ｓ11から色信号成分を分離して記録／再生信号処理をする。
【００１７】
光量センサ１４は、キセノン管２１で発光した光が被写体で反射した反射光を受光して電気信号に変換して得られる光量信号Ｓ14をＡ／Ｄコンバータに出力する。
Ａ／Ｄコンバータ１５は、アナログ量の光量信号Ｓ14をデジタル量に変換して得られる光量信号Ｓ15を制御手段１６に出力する。
【００１８】
制御手段１６は、ストロボ発光指令ＳI、光量信号Ｓ15及び後述する降圧発光電圧信号Ｓ24に基づいて充電制御信号Ｓ16Aを充電手段１８に、トリガ制御信号Ｓ16Bをトリガ手段２０に、スイッチ制御信号Ｓ16Cをスイッチ手段２２に、色信号処理手段１３に原色赤制御信号ＳR及び原色青制御信号ＳBを出力する。
【００１９】
充電手段１８は、充電制御信号Ｓ16Aに基づいてコンデンサ１９への充電を制御する。
コンデンサ１９は、充電手段１８の制御下にあって発光用電荷を蓄積して得られる発光電圧ＶCをキセノン管２１のアノード電極Ａ、トリガ手段２０及び降圧手段２３に印加する。
【００２０】
トリガ手段２０は、トリガ制御信号Ｓ16Bに基づいてキセノン管２１のトリガ電極Ｔにトリガパルス信号Ｓ20を出力する。
スイッチ手段２２は、キセノン管２１のカソード電極Ｋとグランド間に挿入されていてスイッチ制御信号Ｓ16Cに基づいてオン／オフ動作をする。
【００２１】
キセノン管２１は、スイッチ手段２２がオン動作してカソード電極Ｋがグランドに接続され、トリガ電極Ｔにトリガ手段２０からトリガパルス信号Ｓ20が印加されてキセノン管２１内のガスがイオン化され、コンデンサ１９に充電された発光電圧ＶCによってアノード電極とカソード電極間で放電が開始することによって発光する。
発光したキセノン管２１は、スイッチ手段２２がオフ動作した時に発光を停止する。
【００２２】
降圧手段２３は、コンデンサ１９の発光電圧ＶCを例えば高抵抗で分圧して得られる降圧電圧信号Ｓ23をＡ／Ｄコンバータ２４に出力する。
Ａ／Ｄコンバータ２４は、アナログ量である降圧電圧信号Ｓ23をデジタル量に変換して得られる降圧発光電圧信号Ｓ24を制御手段１６に出力する。
【００２３】
このように、ストロボ撮影装置１は、ＣＣＤ１１、輝度信号処理手段１２及び色信号処理手段１３を有するカメラ１０と、光量センサ１４と、Ａ／Ｄコンバータ１５と、制御手段１６と、充電手段１８、コンデンサ１９、トリガ手段２０、発光源（キセノン管）２１、スイッチ手段２２、降圧手段２３及びＡ／Ｄコンバータ２４を有するストロボ発光手段１７とを備え、色信号処理手段１３に原色赤制御信号ＳR及び原色青制御信号ＳBを出力して原色赤及び原色青の増幅度を制御するので、キセノン管２１の発光時間、または発光電圧に対する発光色温度特性を用いてカメラ１０のストロボ撮影時の白バランス補正をすることができる。
【００２４】
図２は本発明に係るストロボ撮影装置１の制御手段の要部ブロック構成図である。
図２において、制御手段１６Ａは、発光電圧設定手段２５、比較手段２６、ＡＮＤゲート２７、積分手段２８、発光量設定手段２９、比較手段３０、ラッチ手段３１及びＮＯＲゲート３４Ａから成る発光制御手段３５Ａと、発光時間演算手段３２Ａと、記憶手段３３Ａとを備える。
【００２５】
発光制御手段３５Ａの発光電圧設定手段２５は所定の発光電圧を設定し、設定発光電圧信号Ｓ25を比較手段２６に出力する。
【００２６】
比較手段２６は、ストロボ発光手段１７のＡ／Ｄコンバータ２４からの降圧発光電圧信号Ｓ24と設定発光電圧信号Ｓ25との大小の比較して得られる比較信号Ｓ26をＡＮＤゲート２７に出力する。
【００２７】
比較手段２６は、降圧発光電圧信号Ｓ24が設定発光電圧信号Ｓ25未満（Ｓ24＜Ｓ25）の場合、論理値零（０）の比較信号Ｓ26をＡＮＤゲート２７とＮＯＲゲート３４Ａとに出力する。
また、比較手段２６は、降圧発光電圧信号Ｓ24が設定発光電圧信号Ｓ25以上（Ｓ24≧Ｓ25）の場合、論理値（１）の比較信号Ｓ26をＡＮＤゲート２７とＮＯＲゲート３４Ａとに出力する。
【００２８】
ＡＮＤゲート２７は、ストロボ発光指令ＳIと比較信号Ｓ26との論理積を行って得られるＡＮＤ信号Ｓ27を積分手段２８と、ラッチ手段３１と、発光時間演算手段３２Ａとに出力し、またＡＮＤ信号Ｓ27を図１に示すストロボ発光手段１７のトリガ手段２０にトリガ制御信号Ｓ16Bとして出力する。
ストロボ発光指令ＳIは、ストロボ撮影を行う瞬間、所定の時間、論理値（１）となり、それ以外の時は論理値零（０）となっている。
【００２９】
積分手段２８は、ＡＮＤゲート２７からのＡＮＤ信号Ｓ27が論理値（１）を出力した瞬間から図１に示すＡ／Ｄコンバータ１５からの光量信号Ｓ15の積分を開始して得られる積分信号Ｓ28を比較手段３０に出力する。
【００３０】
発光量設定手段２９は輝度信号処理手段１２の出力値がある所定の値Ｓｘに発光量を設定し、設定発光量信号Ｓ29を比較手段３０に出力する。
【００３１】
比較手段３０は、積分手段２８からの積分信号Ｓ28と発光量設定手段２９からの設定発光量信号Ｓ29との大小比較を行って得られる比較信号Ｓ30を発光時間演算手段３２Ａとラッチ手段３１とに出力する。
【００３２】
比較手段３０は、積分信号Ｓ28が設定発光量信号Ｓ29未満（Ｓ28＜Ｓ29）の場合、論理値零（０）の比較信号Ｓ30を発光時間演算手段３２Ａとラッチ手段３１とに出力する。
また、比較手段３０は、積分信号Ｓ28が設定発光量信号Ｓ29以上（Ｓ28≧Ｓ29）の場合、論理値（１）の比較信号Ｓ30を発光時間演算手段３２Ａとラッチ手段３１とに出力する。
【００３３】
ラッチ手段３１は、ＡＮＤゲート２７からの論理値（１）のＡＮＤ信号Ｓ27をラッチし、比較手段３０からの論理値（１）の比較信号Ｓ30でリセットされて得られるラッチ信号Ｓ31を図１に示すストロボ発光手段１７のスイッチ手段２２にスイッチ制御信号Ｓ16Cとして出力する。
【００３４】
発光時間演算手段３２Ａは、ＡＮＤゲート２７から論理値（１）のＡＮＤ信号Ｓ27が出力されてから比較手段３０から論理値（１）の比較信号Ｓ30が出力されるまでのキセノン管の発光時間を演算して得られる発光時間信号Ｓ32A(a)を記憶手段３３Ａに出力する。
また、発光時間演算手段３２Ａは、発光時間の演算が終了したことを示す論理値零（０）の演算終了信号Ｓ32A(b)を所定時間、ＮＯＲゲート３４Ａに出力する。
【００３５】
ＮＯＲゲート３４Ａは、比較手段２６からの比較信号Ｓ26と発光時間演算手段３２Ａからの演算終了信号Ｓ32A(b)との負論理の論理積演算を行って得られるＮＯＲ信号Ｓ34Aを図１に示すストロボ発光手段１７の充電手段１８に充電制御信号Ｓ16Aとして出力する。
【００３６】
記憶手段３３Ａは、図４に示すキセノン管２１の発光時間ｔ（SEC）に対する発光色温度特性Ｔｃ（Ｋ）のデータテーブルを記憶しており、発光時間演算手段３２Ａからの発光時間信号Ｓ32A(a)をアドレスとして原色赤発光色温度データＳ33ARと原色青発光色温度データＳ33ABとを読み出し、図１に示すカメラ１０の色信号処理手段１３に原色赤制御信号ＳR及び原色青制御信号ＳBとして出力する。
【００３７】
カメラ１０の色信号処理手段１３は、制御手段１６Ａからの原色赤制御信号ＳRに基づき原色赤の増幅度を制御し、また制御手段１６Ａからの原色青制御信号ＳBに基づき原色青の増幅度を制御する。
【００３８】
このように、ストロボ撮影装置１は、カメラ１０と、光量センサ１４と、Ａ／Ｄコンバータ１５と、発光電圧設定手段２５、比較手段２６、ＡＮＤゲート２７、積分手段２８、発光量設定手段２９、比較手段３０、ラッチ手段３１、ＮＯＲゲート３４Ａ、発光時間演算手段３２Ａ及び記憶手段３３Ａから成る制御手段１６Ａと、充電手段１８、コンデンサ１９、トリガ手段２０、キセノン管２１、スイッチ手段２２、降圧手段２３及びＡ／Ｄコンバータ２４から成るストロボ発光手段１７とを備え、色信号処理手段１３に原色赤制御信号ＳR及び原色青制御信号ＳBを出力して原色赤及び原色青の増幅度を制御するので、キセノン管２１の発光時間に対する発光色温度特性を用いてカメラ１０のストロボ撮影時の白バランス補正をすることができる。
【００３９】
図３は本発明に係るストロボ撮影装置１の制御手段の要部ブロック構成図である。
図３において、制御手段１６Ｂは、発光制御手段３５Ｂと、発光電圧演算手段３２Ｂと、記憶手段３３Ｂとを備える。
発光制御手段３５Ｂは、図２に示した発光制御手段３５Ａの構成の内ＮＯＲゲート３４Ａの２入力の内１入力のみが異なり、それ以外の構成が全く同一であるので、同一構成部分の説明を省略する。
【００４０】
発光電圧演算手段３２Ｂは、発光制御手段３５Ｂで降圧発光電圧信号Ｓ24を基礎に生成された上記ＡＮＤ信号Ｓ27と光量信号Ｓ15を基礎に生成された比較信号Ｓ30とに基づきキセノン管の発光終了電圧を演算して得られる発光終了電圧信号Ｓ32B(a)を記憶手段３３Ｂに出力する。
また、発光電圧演算手段３２Ｂは、発光終了電圧の演算が終了したことを示す論理値零（０）の演算終了信号Ｓ32B(b)を所定時間、ＮＯＲゲート３４Ｂに出力する。
【００４１】
ＮＯＲゲート３４Ｂは、比較手段２６からの比較信号Ｓ26と発光電圧演算手段３２Ｂからの演算終了信号Ｓ32B(b)との負論理の論理積演算を行って得られるＮＯＲ信号Ｓ34Bを図１に示すストロボ発光手段１７の充電手段１８に充電制御信号Ｓ16Aとして出力する。
【００４２】
記憶手段３３Ｂは、図５に示すキセノン管２１の発光電圧Ｖｃ（Ｖ）に対する発光色温度特性Ｔｃ（Ｋ）のデータテーブルを記憶しており、発光電圧演算手段３２Ｂからの発光終了電圧信号Ｓ32B(a)をアドレスとして原色赤発光色温度データＳ33BRと原色青発光色温度データＳ33BBとを読み出し、図１に示すカメラ１０の色信号処理手段１３に原色赤制御信号ＳR及び原色青制御信号ＳBとして出力する。
【００４３】
このように、ストロボ撮影装置１は、カメラ１０と、光量センサ１４と、Ａ／Ｄコンバータ１５と、発光電圧設定手段２５、比較手段２６、ＡＮＤゲート２７、積分手段２８、発光量設定手段２９、比較手段３０、ラッチ手段３１、ＮＯＲゲート３４Ｂ、発光電圧演算手段３２Ｂ及び記憶手段３３Ｂから成る制御手段１６Ｂと、充電手段１８、コンデンサ１９、トリガ手段２０、キセノン管２１、スイッチ手段２２、降圧手段２３及びＡ／Ｄコンバータ２４から成るストロボ発光手段１７とを備え、色信号処理手段１３に原色赤制御信号ＳR及び原色青制御信号ＳBを出力して原色赤及び原色青の増幅度を制御するので、発光電圧演算手段３２Ｂの高速演算への負担を軽減し、キセノン管２１の発光電圧に対する発光色温度特性を用いてカメラ１０のストロボ撮影時に精度の良い白バランス補正をすることができる。
【００４４】
図４はキセノン管の発光時間に対する発光色温度特性及び発光電圧特性を示したものである。
【００４５】
図４は、横軸を発光時間ｔ（sec）、縦軸を発光色温度Ｔｃ（Ｋ）及び発光電圧Ｖｃ（Ｖ）として所定の静電容量（μＦ）のコンデンサ１９に充電した発光電圧Ｖｃ(0)（Ｖ）をキセノン管２１のアノード電極Ａとカソード電極Ｂ間に印加し、時間ｔ0でキセノン管２１を発光さて発光時間ｔ（sec）に対する発光色温度特性Ｔｃ及び発光電圧特性Ｖｃを示したものである。
キセノン管２１の発光色温度特性Ｔｃは、時間ｔ0で急激に立ち上がり、そして発光時間ｔ（sec）の経過と伴に減衰する。
【００４６】
図５はキセノン管の発光電圧に対する発光色温度特性を示したものである。
図５は、横軸を発光電圧Ｖｃ（Ｖ）、縦軸を発光色温度Ｔｃ（Ｋ）としてキセノン管（Ｄ−２３１２）の発光色温度特性Ｔｃの実測例である。
【００４７】
図５の発光色温度特性Ｔｃは、静電容量５０（μＦ）のコンデンサ１９に発光電圧Ｖｃ(0)（２６０Ｖ〜３００Ｖ，５Ｖ単位）を充電してキセノン管（Ｄ−２３１２）のアノード電極Ａとカソード電極Ｂ間に印加し、時間ｔ0でキセノン管を発光さて発光時間２０μsec（ｔ0〜ｔ1）間及び発光時間４ｍsec（ｔ0〜ｔ3）間の平均発光色温度Ｔｃ（Ｋ）の実測値を示したものである。
キセノン管（Ｄ−２３１２）の発光色温度特性Ｔｃは、コンデンサ１９に充電された発光電圧Ｖｃ（Ｖ）の増加と伴に徐々に上昇する。
【００４８】
図２に示す制御手段１６Ａの記憶手段３３Ａ及び後述する図７に示す制御手段４２Ａの第２記憶手段４９Ａは図４に示す時間ｔ（SEC）に対する発光色温度特性Ｔｃ（Ｋ）のデータテーブルを記憶しており、図３に示す制御手段１６Ｂの記憶手段３３Ｂ及び図８に示す制御手段４２Ｂの第２記憶手段４９Ｂは図５に示されるようなキセノン管の発光電圧Ｖｃ（Ｖ）に対する発光色温度特性Ｔｃのデータテーブルを記憶している。
【００４９】
図６は本発明に係るストロボ撮影装置の全体ブロック構成図である。
図６において、ストロボ撮影装置２は、カメラ１０、発光素子４０、受光センサ４１、制御手段４２及びストロボ発光手段１７を備える。
図６において、前述した構成部分と同一部分は同一符号を付し、ここでの説明を省略する。
【００５０】
制御手段４２は、発光素子４０に測距用信号Ｓ42Dを出力する。
発光素子４０は、例えば赤外発光ダイオード等を用いて制御手段４２からの測距用信号Ｓ42Dに基づいて赤外線ビームを発射する。
【００５１】
受光センサ４１は、発光素子４０から発射された赤外線ビームが被写体に当り、その反射赤外線ビームを例えばＰＩＮフォト・ダイオード等で受光して電気信号に変換して得られる受光センサ信号Ｓ41を制御手段４２に出力する。
制御手段４２は、受光センサ４１からの受光センサ信号Ｓ41に基づいて被写体の距離を演算する。
【００５２】
制御手段１６は、演算によって得られる距離情報と、ストロボ発光指令ＳIと、受光センサ信号Ｓ41と、降圧発光電圧信号Ｓ24とに基づいて充電制御信号Ｓ16Aと、トリガ制御信号Ｓ16Bと、スイッチ制御信号Ｓ16Cとをストロボ発光手段１７に出力し、また原色赤制御信号ＳRと、原色青制御信号ＳBとをカメラ１０に出力する。
【００５３】
このように、ストロボ撮影装置２は、カメラ１０、発光素子４０、受光センサ４１、制御手段４２及びストロボ発光手段１７を備えたので、カメラのストロボ撮影時に被写体の距離情報に基づいて発光源（キセノン管２１）の発光時間、または発光終了電圧を決定することができ、発光源の発光時間、または発光終了電圧に対する発光色温度特性に合せた白バランス補正をすることができる。
【００５４】
図７は本発明に係るストロボ撮影装置２の制御手段の要部ブロック構成図である。
図７において、制御手段４２Ａは、発光電圧設定手段２５、比較手段２６、ＡＮＤゲート２７、発光時間演算手段４５及びＮＯＲゲート４６から成る発光制御手段４４Ａと、距離演算手段４７と、第１記憶手段４８Ａと、第２記憶手段４９Ａとを備える。
図７において、前述した構成部分と同一部分は同一符号を付し、ここでの説明を省略する。
【００５５】
距離演算手段４７は、図６に示した受光センサ４１からの受光センサ信号Ｓ41に基づいて被写体までの距離を演算して得られる距離信号Ｓ47を第１記憶手段４８Ａに出力する。
【００５６】
第１記憶手段４８Ａは、被写体の距離に対する発光体（キセノン管２１）の発光時間のデータテーブルを記憶しており、距離演算手段４７からの距離信号Ｓ47をアドレスとして読み出されたキセノン管２１の発光時間データＳ48Aを発光時間演算手段４５と第２記憶手段４９Ａとに出力する。
【００５７】
発光時間演算手段４５は、ＡＮＤゲート２７からのＡＮＤ信号Ｓ27と第１記憶手段４８Ａから出力する発光時間データＳ48Aとに基づいて発光時間を演算して得られる発光演算信号Ｓ45をＮＯＲゲート４６に出力し、またスイッチ制御信号Ｓ16Cとして図６に示すストロボ発光手段１７に出力する。
【００５８】
発光時間演算手段４５は、ＡＮＤゲート２７からのＡＮＤ信号Ｓ27が論理値（１）を出力した瞬間から第１記憶手段４８Ａから出力する発光時間データＳ48Aになるまで発光時間を計測し、計測中の発光演算信号Ｓ45は論理値（１）、それ以外の時は論理値零（０）である。
【００５９】
ＮＯＲゲート４６は、発光時間演算手段４５からの発光演算信号Ｓ45と比較手段２６との負論理の論理積演算を行って得られるＮＯＲ信号Ｓ46を図６に示すストロボ発光手段１７に充電制御信号Ｓ16Aとして出力する。
【００６０】
第２記憶手段４９Ａは、図４に示した発光源（キセノン管２１）の発光時間ｔ（SEC）に対する発光色温度特性Ｔｃ（Ｋ）のデータテーブルを記憶しており、第１記憶手段４８Ａからの発光時間データＳ48Aをアドレスとして原色赤発光色温度データＳ49ARと原色青発光色温度データＳ49ABとを読み出し、図６に示すカメラ１０に出力する。
【００６１】
カメラ１０は色信号処理手段１３を備え、制御手段４２Ａからの原色赤制御信号ＳRに基づき色信号処理手段１３の原色赤の増幅度を制御し、また制御手段４２Ａからの原色青制御信号ＳBに基づき色信号処理手段１３の原色青の増幅度を制御する。
【００６２】
このように、ストロボ撮影装置２は、カメラ１０と、発光素子４０と、受光センサ４１と、発光電圧設定手段２５、比較手段２６、ＡＮＤゲート２７、発光時間演算手段４５、ＮＯＲゲート４６、距離演算手段４７、第１記憶手段４８Ａ及び第２記憶手段４９Ａから成る制御手段４２Ａと、ストロボ発光手段１７とを備えたので、カメラのストロボ撮影時に被写体の距離情報に基づいて発光源（キセノン管２１）の発光時間を決定することができ、発光源の発光時間に対する発光色温度特性に合せた白バランス補正をすることができる。
【００６３】
図８は本発明に係るストロボ撮影装置２の制御手段の要部ブロック構成図である。
図８において、制御手段４２Ｂは、発光電圧設定手段２５、比較手段２６、ＡＮＤゲート２７、ＮＯＲゲート４６及び比較手段５０から成る発光制御手段４４Ｂと、距離演算手段４７と、第１記憶手段４８Ｂと、第２記憶手段４９Ｂとを備える。
図８において、前述した構成部分と同一部分は同一符号を付し、ここでの説明を省略する。
【００６４】
第１記憶手段４８Ｂは、被写体の距離に対する発光体（キセノン管２１）の発光終了電圧のデータテーブルを記憶しており、距離演算手段４７からの距離信号Ｓ47をアドレスとして読み出されたキセノン管２１の発光終了電圧データＳ48Bを比較手段５０と第２記憶手段４９Ｂとに出力する。
【００６５】
比較手段５０は、図６に示すストロボ発光手段１７からの降圧発光電圧信号Ｓ24と、第１記憶手段４８Ｂからの発光終了電圧データＳ48Bとの大小の比較を行って得られる比較信号Ｓ50をＮＯＲゲート４６に出力し、また図６に示すストロボ発光手段１７にスイッチ制御信号Ｓ16Cとして出力する。
【００６６】
比較手段５０の比較信号Ｓ50は、降圧発光電圧信号Ｓ24が発光終了電圧データＳ48Bを超えている場合（Ｓ24＞Ｓ48B）、論理値（１）を出力し、降圧発光電圧信号Ｓ24が発光終了電圧データＳ48B以下の場合（Ｓ24≦Ｓ48B）、論理値零（０）を出力する。
【００６７】
第２記憶手段４９Ｂは、図５に示したキセノン管の発光電圧Ｖｃ（Ｖ）に対する発光色温度特性Ｔｃ（Ｋ）のデータテーブルを記憶しており、第１記憶手段４８Ｂからの発光終了電圧データＳ48Bをアドレスとして原色赤発光色温度データＳ49BRと原色青発光色温度データＳ49BBとを読み出し、図６に示すカメラ１０に出力する。
【００６８】
カメラ１０は色信号処理手段１３を備え、制御手段４２Ｂからの原色赤制御信号ＳRに基づき色信号処理手段１３の原色赤の増幅度を制御し、また制御手段４２Ｂからの原色青制御信号ＳBに基づき色信号処理手段１３の原色青の増幅度を制御する。
【００６９】
このように、ストロボ撮影装置２は、カメラ１０と、発光素子４０と、受光センサ４１と、発光電圧設定手段２５、比較手段２６、ＡＮＤゲート２７、比較手段５０、ＮＯＲゲート４６、距離演算手段４７、第１記憶手段４８Ｂ及び第２記憶手段４９Ｂから成る制御手段４２Ｂと、ストロボ発光手段１７とを備えたので、カメラのストロボ撮影時に被写体の距離情報に基づいて発光源（キセノン管２１）の発光終了電圧を決定することができ、発光源の発光電圧Ｖｃ（Ｖ）に対する発光色温度特性Ｔｃ（Ｋ）に合せた白バランス補正をすることができる。
【００７０】
【発明の効果】
本発明は上記構成により次の効果を発揮する。
本発明に係るストロボ撮影装置は、制御手段に、発光源の発光時間に対する発光色温度特性のデータテーブルを記憶した記憶手段と、光量センサからの出力及びコンデンサの発光電圧に基づいて発光駆動手段を制御する発光制御手段と、発光制御手段からの出力に基づいて発光源の発光時間を演算する演算手段とを備え、カメラのストロボ撮影時に光量センサからの出力に基づいて発光源の発光時間を制御することができ、そして発光源の発光時間に対する発光色温度特性に合せた白バランス補正をすることができるので、被写体の自然な色の録画／再生ができる。
【００７１】
また、本発明に係るストロボ撮影装置は、制御手段に、発光源の発光電圧に対する発光色温度特性のデータテーブルを記憶した記憶手段と、発光制御手段からの出力に基づいて発光源の発光終了電圧を演算する演算手段とを備えたので、カメラのストロボ撮影時に演算手段での高速演算への負担を軽減し、光量センサからの出力に基づいて発光源の発光電圧を制御することができ、そして発光源の発光電圧に対する発光色温度特性に合せた精度の良い白バランス補正をすることができるので、装置の低コスト化及び信頼性の向上が図れ、且つ被写体のより自然な色の録画／再生ができる。
【００７２】
さらに、本発明に係るストロボ撮影装置は、制御手段に、被写体までの距離に対する発光源の発光時間のデータテーブルを記憶した第１の記憶手段と、発光源の発光時間に対する発光色温度特性のデータテーブルを記憶した第２の記憶手段と、測距用の受光センサからの出力に基づいて被写体までの距離を演算する距離演算手段と、コンデンサの発光電圧及び第１の記憶手段の出力に基づいて発光駆動手段を制御する発光制御手段とを備えたので、カメラのストロボ撮影時に被写体の距離情報に基づいて発光源の発光時間を決定することができ、そして発光源の発光時間に対する発光色温度特性に合せた白バランス補正をすることができるので、被写体のより自然な色の録画／再生ができる。
【００７３】
さらにまた、本発明に係るストロボ撮影装置は、制御手段に、被写体までの距離に対する発光源の発光終了電圧のデータテーブルを記憶した第１の記憶手段と、発光源の発光終了電圧に対する発光色温度特性のデータテーブルを記憶した第２の記憶手段と、測距用受光センサからの出力に基づいて被写体までの距離を演算する距離演算手段とを備えたので、カメラのストロボ撮影時に演算手段での高速演算への負担を軽減し、被写体の距離情報に基づいて発光源の発光終了電圧を決定することができ、そして発光終了電圧に対する発光色温度特性に合せた精度の良い白バランス補正をすることができるので、被写体のより自然な色の録画／再生ができる。
【００７４】
よって、本発明は、信頼性が高く、商品性の高いストロボ撮影装置を提供することができる。
【図面の簡単な説明】
【図１】本発明に係るストロボ撮影装置の全体ブロック構成図
【図２】本発明に係るストロボ撮影装置１の制御手段の要部ブロック構成図
【図３】本発明に係るストロボ撮影装置１の制御手段の要部ブロック構成図
【図４】キセノン管の発光時間に対する発光色温度特性及び発光電圧特性
【図５】キセノン管の発光電圧に対する発光色温度特性
【図６】本発明に係るストロボ撮影装置の全体ブロック構成図
【図７】本発明に係るストロボ撮影装置２の制御手段の要部ブロック構成図
【図８】本発明に係るストロボ撮影装置２の制御手段の要部ブロック構成図
【符号の説明】
１…ストロボ撮影装置、２…ストロボ撮影装置、１０…カメラ、１１…ＣＣＤ、１２…輝度信号処理手段、１３…色信号処理手段、１４…光量センサ、１５，２４…Ａ／Ｄコンバータ、１６，１６Ａ，１６Ｂ…制御手段、１７…ストロボ発光手段、１８…充電手段、１９…コンデンサ、２０…トリガ手段、２１…発光源（キセノン管）、２２…スイッチ手段、２３…降圧手段、２５…発光電圧設定手段、２６，３０，５０…比較手段、２７…ＡＮＤゲート、２８…積分手段、２９…発光量設定手段、３１…ラッチ手段、３２Ａ，３２Ｂ…発光時間演算手段、３３Ａ，３３Ｂ…記憶手段、３４Ａ…ＮＯＲゲート、３５Ａ，３５Ｂ…発光制御手段、４０…発光素子、４１…受光センサ、４２，４２Ａ，４２Ｂ…制御手段、４４Ａ，４４Ｂ…発光制御手段、４５…発光時間演算手段、４６…ＮＯＲゲート、４７…距離演算手段、４８Ａ，４８Ｂ…第１記憶手段、４９Ａ，４９Ｂ…第２記憶手段、Ａ…アノード電極、Ｂ…カソード電極、Ｓ16A…充電制御信号、Ｓ16B…トリガ制御信号、Ｓ16C…スイッチ制御信号、Ｓ24…降圧発光電圧信号、Ｓ27…ＡＮＤ信号、Ｓ41…受光センサ信号、Ｓ42D…測距用信号、Ｓ45…発光演算信号、Ｓ46…ＮＯＲ信号、Ｓ47…距離信号、Ｓ48A…発光時間データ、Ｓ48B…発光終了電圧データ、Ｓ50…比較信号、ＳI…ストロボ発光指令、ＳB…原色青制御信号、ＳR…原色赤制御信号、Ｓ48B…発光終了電圧データ、Ｓ49AB，Ｓ49BB…原色青発光色温度データ、Ｓ49AR，Ｓ49BR…原色赤発光色温度データ、ｔ…発光時間、ｔ0…時間、Ｔｃ…発光色温度、Ｖｃ…発光電圧。
【図１】
0003804192.tif 000002
【図２】
0003804192.tif 000003
【図３】
0003804192.tif 000004
【図４】
0003804192.tif 000005
【図５】
0003804192.tif 000006
【図６】
0003804192.tif 000007
【図７】
0003804192.tif 000008
【図８】
0003804192.tif 000009